(57)【要約】      （修正有）【課題】前方に扉の開閉スペースがとりづらい場合でも、扉を左右に開閉できる収納キャビネットにおいて、隣接するキャビネットに紙巻器や手すりなど前方に張り出す物が取付いていた場合でも、扉が手前に全開するまでは側方にスライドせず、紙巻器、手すりに扉が当たり傷つけてしまうことを防ぐ。【解決手段】前方に開口部を有する収納本体の該開口部を開閉自在に閉じる扉本体を備え、該扉本体を一旦手前へ引出してから側方へスライドして開くためのガイド手段を具備した収納扉開閉構造において、前記ガイド手段は、扉本体が手前に全開状態になるまで側方にスライドすることを阻止するストッパーを具備し、前記ストッパーは、扉裏に取付いたレール部材の間に取り付けられたピン１０と回転アーム４の基端部に取付けられた保持部１１が嵌合することによって働くように構成した。【選択図】  図６
2004300851.tif 000002
【特許請求の範囲】
【請求項１】
前方に開口部を有する収納本体と、該開口部を開閉する扉本体と、該扉本体を手前へ引出す引出し機構と前記扉を側方へスライドさせるスライド機構とから構成されるガイド手段と、からなる収納キャビネットの扉開閉構造において、
前記ガイド手段は、さらに、前記扉本体が閉じた状態で前記引出し機構と前記スライド機構を連結し、前記扉本体を所定の位置まで引き出すと連結が解除する解除機構を具備することを特徴とする収納扉の開閉機構。
【請求項２】
前記解除機構は、前記引出し機構が有する保持部と前記スライド機構が有するピンとの嵌合によってなることを特徴とする請求項１記載の収納扉の開閉機構。
【請求項３】
前方に開口部を有する収納本体と、該開口部を開閉する扉本体と、該扉本体を手前へ引出す引出し機構と前記扉を側方へスライドさせるスライド機構とから構成されるガイド手段とを具備する収納キャビネットにおいて、
前記扉本体が所定の位置まで引き出さないと側方にスライドしない解除機構を備えたことを特徴とする収納キャビネット。
【発明の詳細な説明】
【０００１】
【発明の属する技術分野】
本発明は、前方に扉の開閉スペースがとりづらい場合でも、扉を開閉できる収納キャビネットに関する。
【０００２】
【従来の技術】
従来の収納キャビネット扉構造は観音開き式、引き出し式、左右スライド式が一般的といえる。中でもトイレ内の様に、観音開き式、引き出し式の収納キャビネットを設置したくても前方に十分な扉開閉スペースが無い場合は、一旦前方に引出してから側方に移動する左右スライド式の扉を備えた収納キャビネットが用いられている。（特許文献１参照）
【０００３】
【特許文献１】
特開平２００２−２９５１１７号公報
【０００４】
【発明が解決しようとする課題】
しかしながら、特許文献１に記載のキャビネットでは、扉が手前に全開する前であっても側方にスライドしてしまい、例えば隣接するキャビネットに紙巻器や手すりなど前方に張り出す物が取付いていた場合、スライドした扉が紙巻器や手すりに当たり傷つけてしまうという課題がある。
【０００５】
本発明は上記の課題を解決するためになされたものであるが、その目的は、前方に扉の開閉スペースがとりづらい場所に設置される収納キャビネットで、扉を左右に開閉できる収納キャビネットにおいて、隣接するキャビネットに紙巻器や手すりなど前方に張り出す物が取付いていた場合でも、扉が当たることなく横方向にスライドできる収納扉の開閉構造およびキャビネットを提供することを目的とする。
【０００６】
【課題を解決するための手段】
上記目的を達成するために本発明は、前方に開口部を有する収納本体と、該開口部を開閉する扉本体と、該扉本体を手前へ引出す引出し機構と前記扉を側方へスライドさせるスライド機構とから構成されるガイド手段と、からなる収納キャビネットの扉開閉構造において、前記ガイド手段は、さらに、前記扉本体が閉じた状態で前記引出し機構と前記スライド機構を連結し、前記扉本体を所定の位置まで引き出すと連結が解除する解除機構を具備することを特徴とする。
本発明収納扉の開閉構造によれば、前方に扉の開閉スペースがとりづらい場合で、扉を左右に開閉できる収納キャビネットにおいて、隣接するキャビネットに紙巻器や手すりなど前方に張り出す物が取付いていた場合でも、扉が手前に全開するまではストッパーの働きで側方にスライドせず、紙巻器、手すりに扉が当たり傷つけてしまうことを防ぐことができる。
【０００７】
本発明の好ましい態様として、前記解除機構は、前記引出し機構が有する保持部と前記スライド機構が有するピンとの嵌合によってなることを特徴とする。
本発明によれば、解除機構が、前記引出し機構が有する保持部と前記スライド機構が有するピンとの嵌合によってなることから、引出し機構が確実に完了しないと扉がスライドしないため、隣接するキャビネットに紙巻器や手すりなど前方に張り出す物が取付いていた場合でも、扉が当たり傷つけてしまうことを防ぐことができる。また、保持部の調整により、所定の位置の変更も容易に行える。
【０００８】
【発明の実施の形態】
本発明の請求項１の実施の形態を図１から図４を用いて説明する。
収納キャビネットは、主に扉本体１、側板２、天板、底板、背板とからなる収納本体と収納本体の開口部を開閉する扉と扉のガイド手段とから構成される。
図１は本発明のキャビネットを天板を外して真上から見た図を示しており、扉本体１はキャビネットの収納部の開口部を開閉するために、一旦手前に引き出してから横方向にスライドするガイド手段によって側板２に連結されている。
【０００９】
ここで、ガイド手段は側板２に固定される固定金具８と、固定金具８に回動自在に軸止される回転アーム４とからなる引出し機構と、回転アーム４の他端に軸止されるローラー６と、ローラー６に摺動自在に組み付けられるレール部材５と、レール部材５を扉本体１の裏面に保持するためレール部材５の両端に取付けられ扉本体１裏面に固定される固定部材７ａ，７ｂとからなるスライド機構とから一体的に構成される。また、回転アーム４は収納部側に湾曲した形状をしており、扉本体１を手前に引き出した際に側板２の前面にあたらないようにしている。
【００１０】
まず手前に扉本体１を引くことにより回転アーム４が回転し扉本体１は手前に引き出され、その後扉本体１の裏に取付けられたレール部材５とローラー６により扉本体１は側方にスライドする。この場合、扉本体１が前方に全開状態でない時にスライドすれば、図２のように隣接するキャビネットに紙巻器３が取付いていた場合、扉本体１が干渉してしまう。これを防ぐために図３のように扉本体１が前方に全開状態になるまで側方にスライドしないようにローラー６近傍に解除機構９を設ける。その効果により図４のように、隣接したキャビネットに取付けられた紙巻器３に干渉することなく扉本体１を側方にスライドさせることが出来る。
【００１１】
次に、図５から図７を用いて解除機構の説明をする。
図５において回転アーム４側のレール固定部材７ａにはピン１０が取付いている。一方、回転アーム４のローラ６側に保持材１１が取付いている。保持部１１には湾曲した溝状の窪み１１ａが形成されており、前記ピン１０は扉が閉まった状態では、保持部１１の窪み１１ａに嵌合し扉本体１は側方向には動かないようになっている。
【００１２】
図６のように扉本体１を前方に所定位置まで引き出すと、回転アームの動きに合わせて保持材１１が回転し、ピン１０は保持部１１の窪み１１ａとの嵌合が外れ、扉本体１は側方向にスライドするようになる。保持部１１の窪み形状を適切なものを選定することにより、扉本体１が側方向に開くための前出寸法を調整することも出来る。
【００１３】
図７はピン１０と保持部１１の拡大斜視図である。
保持材１１の両端面に窪み１１ａが形成され、それぞれの窪み１１ａにピン１０が嵌合している。
また、保持材１１側にピンを設け、固定部材７ａ側に窪みを形成してもよく、回転アームの動きに合わせて、嵌合されたり、外れたりするものであればよい。
また、解除機構は上下２本のレール部材の間に位置するのが好ましい。
【００１４】
【発明の効果】
本発明は上記構成により次の効果を発揮する。
前方に扉の開閉スペースがとりづらい場合でも、扉を左右に開閉できる収納キャビネットにおいて、隣接するキャビネットに紙巻器や手すりなど前方に張り出す物が取付いていた場合でも、扉が手前に全開するまでは側方にスライドせず、紙巻器、手すりに扉が当たり傷つけてしまうことを防ぐ収納扉の開閉機構およびキャビネットが提供できる。
【図面の簡単な説明】
【図１】本発明の実施例を表す平面図
【図２】本発明の解除機構がない場合の例を表す平面図
【図３】本発明の実施例を表す平面図
【図４】本発明の実施例を表す平面図
【図５】本発明の実施例を表す平面図
【図６】本発明の実施例を表す平面図
【図７】本発明の実施例を表す斜視図
【符号の説明】
１…扉、２…側板、３…紙巻器、４…回転アーム、５…レール部材、
６…ローラー、７ａ，７ｂ…固定部材、８…固定金具、９…解除機構、
１０…ピン、１１…保持部、１１ａ…窪み
【図１】
2004300851.tif 000003
【図２】
2004300851.tif 000004
【図３】
2004300851.tif 000005
【図４】
2004300851.tif 000006
【図５】
2004300851.tif 000007
【図６】
2004300851.tif 000008
【図７】
2004300851.tif 000009